(57)【要約】【課題】使い易く、携帯時には衛生的で低コストの携帯靴磨き具を提供する。又、ユニークなキャラクターを正面から見て、上段部の縁どりの上下にある両眼の孔から指を挿入することにより容易に汚れを清掃できる携帯用靴磨き具を提供する。【解決手段】折り畳み自在かつ展開自在な板状の上段部とその下段部を折り畳んだ状態に保持せしめるとともに、その保持機能を自在に解除し得る折り畳み状態保持手段と前記上段部と下段部を折り畳んだときにその内側となる面に設けられた塵埃除去スポンジとを備えている。又、上段部の縁どりの上にある両眼の孔から指を挿入し、下段部の左右両端のガードレールを指でしっかり保持して汚れを拭き取る。対象の表面は容易に清掃することができる。【選択図】図１
0003136132.tif 000002
【実用新案登録請求の範囲】
【請求項１】
折り畳み自在かつ展開自在な板状の携帯用上段部と下段部を折り畳んだ状態に保持せめるとともにその保持機能を自在に解除し得る折り畳み状態保持手段と前期上段部を折り畳んだときにその内側となる面に設けられた塵埃除去スポンジとを備えてなる携帯用靴磨き具
【請求項２】
前期折り畳み状態手段が前期上段部を折り畳んだときに互いに対応する位置に設けられて、互いに係脱自在な前期先端部に形成された差し込み孔と先端部とからなる請求項１に記載の携帯用靴磨き具
【請求項３】
前期塵埃除去スポンジが前期上段部に対し固着されていて、その下段部は少なくとも前期の塵埃除去するスポンジを外向きにして前期折り畳み状態保持手段により輪状に保持することができる程度の可撓性を有してなる請求項に記載の携帯用靴磨き具
【請求項４】
前期の塵埃除去スポンジが前期上段部に対し固着されていてその下段部は少なくとも前記の塵埃除去スポンジを外向きにして差し込み孔と前期先端部とを互いに係合させた輪状にすることができる程度の可撓性を有し、前期差し込み孔からの不測の離脱を防止する抜け防止部が形成されている請求項２に記載の携帯用靴磨き具
【請求項５】
前期抜け防止部が前記差し込み孔からの抜け出し方向左右両縁に形成されて、前期差し込み孔の左右両端部と段階的に係合する凹凸部である請求項４に記載の携帯用靴磨き具
【請求項６】
前期の塵埃除去スポンジを前期上段部に対して着脱自在にせしめる請求項１または２に記載の携帯用靴磨き具
【請求項７】
前期の塵埃除去スポンジが前期上段部に対して着脱自在な着脱部材に固着されていて、靴の汚れを拭き取る際、携帯用上段部にある両眼の穴から指を挿入する請求項１または２に記載の携帯用靴磨き具
【請求項８】
この場合、指挿入後、下段部の左右両端のガードレールを指でしっかり保持し、汚れを拭き取る対象の表面を容易に清掃できる請求項７に記載の携帯用靴磨き具
【請求項９】
前期上段部を折り畳んだときにその外側となる面を情報掲載面としてなる請求項１に記載の携帯用靴磨き具
【考案の詳細な説明】
【技術分野】
【０００１】  本考案は靴磨き、バックの表面の汚れを取るに好適な携帯用靴磨き具に関するものである。
【背景技術】
【０００２】  本考案が解決しようとする課題は、使い易く、携帯時には衛生的で低コストの携帯用靴磨き具を提供し、従来の靴磨き具と違って正面から見て、上段部の縁取りの上下にある両目の孔から指を挿入するユニークな靴磨き具を提供する。
【課題が解決するための手段】
【０００３】  前記課題を解決するため請求項１に記載の本考案に係る携帯用靴磨き具は、折り畳み自在かつ展開自在な板状の携帯用上段部と下段部を折り畳んだ状態に保持せしめるとともに、その保持機能を自在に解除し得る折り畳み状態保持手段と前記上段部を折り畳んだときにその内側となる面に設けられた塵埃除去スポンジを備えてなるものである。又、請求項９に記載の本考案に係る携帯用靴磨き具は靴の汚れを拭き取る際、上段部の縁取りの上下にある両目の孔から指を挿入する様設けてありこの時は、指を挿入後、下段部の左右両端のガードレールを指でしっかり保持し、汚れを拭き取る対象の表面を容易に清掃できる
【０００４】  前記携帯用靴磨き具は、前記の塵埃除去スポンジが内側となるように前記上段部を折り畳み、前記折り畳み状態保持手段により前記上段部を折り畳んだ状態に保持せしめて携帯する。
それに汚れを除去する際、（使用時には）前記折り畳み状態保持手段による前記上段部の折り畳み状態保持機能を解除せしめて、前記上段部と下段部を展開し、前記塵埃除去スポンジにより汚れの除去対象の表面を清掃する。清掃作業が終ったら前期と同様にして再び前記上段部と下段部を折り畳み、例えばポケットに入れ携帯する。
【考案の効果】
【０００５】  このように携帯時（不使用）には前記塵埃除去スポンジが前記上段部の内側に隠れているので、一度使用した後でも衛生的であり一方必要な時には、ただちに取り出して使用することができる。
【０００６】  請求項２に記載の本考案に係る携帯用靴磨き具は、請求項１に記載のものにおいて前記折り畳み状態保持手段が前記上段部を折り畳んだときに互いに対応する位置に設けられて、互いに、係脱自在な前記上段部に形成された差し込み孔と先端部とからなるものである。この様にすれば極めて低コストで製造できる。
【０００７】  また、前記先端部を前記差し込み孔に挿入させれば前記上段部が折り畳んだ状態に保持され、逆に前記差し込み孔から前記先端部を離脱させれば折り畳み状態保持機能が解除されるので、前記上段部を折り畳んでその状態に保持せしめる作業とその折り畳み状態保持機能の解除作業が極めて容易となり使用し易い。
【０００８】  請求項３に記載の本考案に係る携帯用靴磨き具は、請求項１に記載のものにおいて前記塵埃除去スポンジが前記上段部に対して固着されていて、その下段部は、少なくとも前記塵埃スポンジを外向きにして、前記折り畳み状態保持手段により輪状に保持することができる程度の可撓性を有してなるものである。
【０００９】  この場合、使用時には、前記塵埃スポンジを外向きにし、前記折り畳み状態保持手段により前記上段部を携帯時には表裏逆の輪状に保持せしめる。靴の汚れを拭き取る際、携帯用上段部にある両眼の孔に指を挿入する様設けてある。この時は、指の挿入後に下段部の左右両端のガードレールを指でしっかり保持し、汚れを拭き取る対象の表面は容易に清掃できる。
【００１０】  請求項４に記載の本考案に係る携帯用靴磨き具は、請求項２に記載のものにおいて前記塵埃スポンジが前記上段部に対して固着されていて、その下段部は、少なくとも前記塵埃スポンジを外向きにして、前記差し込み孔と前記先端部とも互いに係合させて、輪状にすることができる程度の可撓性を有し、前記先端部には前記差し込み孔から不測の離脱を防止する抜け防止部が形成されている構成としたものである。
【００１１】  使用時には前記の塵埃除去スポンジを外向きにして、前記先端部を前記差し込み孔に係合させて、前記上段部を携帯時とは表裏逆の輪状に保持せしめ、外向きになっている前記塵埃除去スポンジにより塵埃除去対象表面を清掃する。前記抜け防止部があるので、使用時には前記先端部が前記差し込み孔から不測に抜けて、前記上段部が展開してしまうことはない。
【００１２】  請求項５に記載の本考案に係る携帯用靴磨き具は請求項４に記載のものにおいて、前記抜け防止部を前記差し込み孔からの抜け出し方向左右、両縁に形成されて、前記差し込み孔の左右両端部と段階的に係合する凹凸部としてなるものである。このようにすればコストの低減と最低限必要な抜け防止効果の確保と使い易さという複合的要請に同時にこたえることができる。
【００１３】  請求項６に記載の本考案に係る携帯用靴磨き具は請求項１または２に記載のものにおいて、前記塵埃スポンジを前記上段部に対して着脱自在にせしめたものである。
【００１４】  この場合、前記上段部を展開した後その下段部から前記塵埃除去スポンジを使い外で使用する。
【００１５】  請求項７に記載の本考案に係る携帯用靴磨き具は、請求項１または２に記載のものにおいて前記塵埃除去スポンジが前記上段部に対して着脱自在な着脱部材に固着されていて、靴の汚れを拭き取る作業を行う際、携帯用上段部にある両眼の孔に指を挿入して、清掃作業を行う。
【００１６】  請求項９に記載の本考案に係る携帯用靴磨き具は、請求項１に記載したものにおいて、前記上段部を折り畳んだ時にその外側となる面を情報掲載用としたものである。このようにすれば、実用品として靴磨き具が例えれば、広告媒体としての機能を有することになり、例えば実用性を備えた販売促進の景品として使用できる。
【図面の簡単な説明】
【００１７】
【図１】本考案の第一実施形態に係る携帯用靴磨き具を展開した状態の斜視図である。
【図２】図１の携帯用靴磨き具は折り畳んで保持せしめた状態の斜視図である。
【図３】図１の携帯用靴磨き具を見て、使用状態にせしめる過程の斜視図である。
【図４】図１の靴磨き具の使用状態を示す斜視図である。
【符号の説明】
【００１８】  １．  上段部
２．  下段部
３．  先端部
４．  差し込み孔
５．  両眼の孔
６．  塵埃除去スポンジ
７．  ガードレール
８．  着脱部材
【図１】
0003136132.tif 000003
【図２】
0003136132.tif 000004
【図３】
0003136132.tif 000005
【図４】
0003136132.tif 000006
【手続補正書】
【提出日】平成19年5月1日(2007.5.1)
【手続補正１】
【補正対象書類名】実用新案登録請求の範囲
【補正対象項目名】全文
【補正方法】変更
【補正の内容】
【実用新案登録請求の範囲】
【請求項１】
折り畳み自在かつ展開自在な板状の携帯用上段部とその下段部を折り畳んだ状態に保持せしめるとともにその保持機能を自在に解除する為の折り畳み状態保持手段である先端部と差し込み孔からなる前記上段部を折り畳んだときに下段部に設けられた塵埃除去スポンジとを備えてなる携帯用靴磨き具
【請求項２】
前記折り畳み状態保持手段が前記上段部を折り畳んだときに互いに対応する位置に設けられて互いに係脱自在な前記下段部に形成された差し込み孔と上段部に形成された先端部とからなる請求項１に記載の携帯用靴磨き具
【請求項３】
前記塵埃除去スポンジが下段部に固着されていて、その下段部は少くとも、前記の塵埃除去するスポンジを外向きにして前記折り畳み状態保持手段により輪状に保持することができる程度の可撓性を有してなる請求項１に記載の携帯用靴磨き具
【請求項４】
前記塵埃除去スポンジが下段部に固着されていて、少くとも前記の塵埃除去スポンジを外向きにして、差し込み孔と前記先端部とを互いに係合させて輪状にすることができる程度の可撓性を有し、下段部に形成された差し込み孔からの不測の離脱を防止する抜け防止部が形成されている請求項２に記載の携帯用靴磨き具
【請求項５】
前記抜け防止部が前記差し込み孔からの抜け出し方向、左右両縁に形成されて、前記差し込み孔の左右両端部と段階的に係合する凹凸部である請求項４に記載の携帯用靴磨き具
【請求項６】
前記の塵埃除去スポンジが下段部に固着されていて前記上段部に対して着脱自在にせしめる請求項１または２に記載の携帯用靴磨き具
【請求項７】
前記の塵埃除去スポンジが着脱自在な着脱部材に固着されていて、靴の汚れを掃き取る際、携帯用上段部にある両眼の孔から指を挿入する請求項１または２に記載の携帯用靴磨き具
【請求項８】
指挿入後下段部の左右両端のガードレールを指でしっかり保持し、汚れを掃き取る対象の表面を容易に清掃できる請求項７に記載の携帯用靴磨き具
【請求項９】
前記上段部を折り畳んだときにその外側となる面を情報掲載面としてなる請求項１に記載の携帯用靴磨き具
【手続補正書】
【提出日】平成19年7月12日(2007.7.12)
【手続補正１】
【補正対象書類名】実用新案登録請求の範囲
【補正対象項目名】全文
【補正方法】変更
【補正の内容】
【実用新案登録請求の範囲】
【請求項１】
折り畳み自在かつ展開自在な板状の携帯用上段部とその下段部を折り畳んだ状態に保持せしめるとともにその保持機能を自在に解除する為の折り畳み状態保持手段である先端部と差し込み孔と下段部に設けられた塵埃除去スポンジとを備えてなる携帯用靴磨き具
【請求項２】
前記折り畳み状態保持手段が前記上段部を折り畳んだときに互いに対応する位置に設けられて、互いに係脱自在な前記下段部に形成された差し込み孔と上段部に形成された先端部とからなる請求項１に記載の携帯用靴磨き具
【請求項３】
前記塵埃除去スポンジが下段部に固着されていて、その下段部は少くとも、前記の塵埃除去するスポンジを外向きにして前記折り畳み状態保持手段により輪状に保持することができる程度の可撓性を有してなる請求項１に記載の携帯用靴磨き具
【請求項４】
前記塵埃除去スポンジが、下段部に固着されていて、少くとも前記の塵埃除去スポンジを外向きにして、差し込み孔と前記先端部とを互いに係合させて、輪状にすることができる程度の可撓性を有し、下段部に形成された差し込み孔からの不測の離脱を防止する抜け防止部が形成されている請求項２に記載の携帯用靴磨き具
【請求項５】
前記抜け防止部が、前記差し込み孔からの抜け出し方向左右両縁に形成されて、前記差し込み孔の左右両端部と段階的に係合する凹凸部である請求項４に記載の携帯用靴磨き具
【請求項６】
前記の塵埃除去スポンジが下段部に固着されていて、前記上段部に対して着脱自在にせしめる請求項１または、２に記載の携帯用靴磨き具
【請求項７】
前記の塵埃除去スポンジが着脱自在な着脱部材に固着されていて靴の汚れを掃き取る際携帯用上段部にある両眼の孔から指を挿入する請求項１または２に記載の携帯用靴磨き具
【請求項８】
指挿入後、下段部の左右両端のガードレールを指でしっかり保持し、汚れを掃き取る対象の表面を容易に清掃できる請求項７に記載の携帯用靴磨き具
【請求項９】
前記上段部を折り畳んだときにその外側となる面を情報掲載面としてなる請求項１に記載の携帯用靴磨き具